(57)【要約】【課題】簡易な操作および簡易な構成で誤動作の発生を抑制する電子機器を提供する。【解決手段】複数の機能を実行可能な電子機器であって使用者の指の接触を検知し、検知した指の特徴を検出し、指の接触時間の計測および特徴を含む指情報の生成を行う検出部と、検出部が計測した接触時間と閾値とを比較し、接触時間が閾値を超える場合に、検出部が生成した指情報に対応する機能を実行する制御部と、を備える。【選択図】図１
2019097019.tif 000002
【特許請求の範囲】
【請求項１】
複数の機能を実行可能な電子機器であって
使用者の指の接触を検知し、前記検知した指の特徴を検出し、前記指の接触時間の計測および前記特徴を含む指情報の生成を行う検出部と、
前記検出部が計測した前記接触時間と閾値とを比較し、前記接触時間が前記閾値を超える場合に、前記検出部が生成した前記指情報に対応する機能を実行する制御部と、を備える、
ことを特徴とする電子機器。
【請求項２】
前記電子機器は、レンズと、前記レンズの光軸回りに回動し、回動量に応じた信号を出力する調節部を備えるレンズ装置であり、
前記制御部は、前記調節部が出力した前記信号を用いて前記指情報に対応する機能を実行することを特徴とする請求項１に記載の電子機器。
【請求項３】
前記制御部は、前記接触時間が前記閾値以下の場合において、前記調節部が出力した前記信号を受信すると前記指情報に対応する機能を実行することを特徴とする請求項２に記載の電子機器。
【請求項４】
前記制御部は、第１の指の指情報に対応する第１の機能を実行した後、前記検出部が計測する前記第１の指と異なる第２の指の接触時間が前記閾値以下の場合において、前記調節部が出力した前記信号を受信すると前記第２の指の指情報に対応する第２の機能を実行する、ことを特徴とする請求項２又は３に記載の電子機器。
【請求項５】
前記電子機器は、レンズ装置と、半押し状態に対応する半押し段階を含む複数段階のシャッタースイッチを備えたカメラ本体を含むカメラシステムであり、
前記制御部は、前記シャッタースイッチの段階に関する情報を受信することを特徴とする請求項１に記載の電子機器。
【請求項６】
前記制御部は、前記接触時間が前記閾値以下の場合において、前記半押し段階に関する情報を受信すると前記指情報に対応する機能を実行する、ことを特徴とする請求項５に記載の電子機器。
【請求項７】
通知部をさらに有し、
前記通知部は、前記制御部が前記指情報に対応する機能を実行した際に、通知動作を行う、ことを特徴とする請求項１乃至６のいずれか１項に記載の電子機器。
【請求項８】
前記通知動作は、振動動作である、ことを特徴とする請求項７に記載の電子機器。
【請求項９】
前記通知動作は、音を発する動作である、ことを特徴とする請求項７または８に記載の電子機器。
【発明の詳細な説明】
【技術分野】
【０００１】
本発明は、電子機器に関する。
【背景技術】
【０００２】
指認証の結果に応じて複数の機能を実行可能なカメラやレンズ装置などの電子機器がある。このような電子機器では、センサにより指認証が実行されるが、使用者が意図せずセンサに指を接触させてしまうと誤動作が起こりうる。
【０００３】
このような誤操作に対して、特許文献１に記載された電子機器は、２以上の指紋情報の組み合わせによって動作を実行できるようにしている。また、特許文献２に記載された電子機器は、加速度検知部（加速度センサ）の出力情報に基づき、カメラの姿勢が安定していることが確認された場合に指紋を検出する。
【先行技術文献】
【特許文献】
【０００４】
【特許文献１】特開２００７−８００２１号公報
【特許文献２】特開２０１２−５８９１７号公報
【発明の概要】
【発明が解決しようとする課題】
【０００５】
しかしながら、特許文献１の電子機器では、１動作に対して複数回指紋入力が要求されるため、使用者にとって操作が煩雑となりうる。また、特許文献２の電子機器は、このような煩雑さはないが、加速度センサを備える電子機器にしか適用することができない。
【０００６】
本発明は、簡易な操作および簡易な構成で誤動作の発生を抑制する電子機器を提供することを目的とする。
【課題を解決するための手段】
【０００７】
上記課題を解決するために、本発明は、複数の機能を実行可能な電子機器であって使用者の指の接触を検知し、検知した指の特徴を検出し、指の接触時間の計測および特徴を含む指情報の生成を行う検出部と、検出部が計測した接触時間と閾値とを比較し、接触時間が閾値を超える場合に、検出部が生成した指情報に対応する機能を実行する制御部と、を備える、ことを特徴とする。
【発明の効果】
【０００８】
本発明によれば、簡易な操作および簡易な構成で誤動作の発生を抑制する電子機器を提供することができる。
【図面の簡単な説明】
【０００９】
【図１】第１実施形態に係る電子機器である交換レンズを含むカメラシステムの構成を示すブロック図である。
【図２】第１実施形態に係るレンズ装置の外観図である。
【図３】第１実施形態に係るカメラシステムの外観図である。
【図４】第１実施形態に係るカメラシステムにおいて指情報に応じた制御を示すフローチャートである。
【図５】記憶部に登録された指紋登録データの一例を記した表である。
【図６】第２実施形態に係るカメラシステムにおいて指情報に応じた制御を示すフローチャートである。
【図７】第３実施形態に係るカメラシステムにおいて指情報に応じた制御を示すフローチャートである。
【発明を実施するための形態】
【００１０】
以下、本発明を実施するための形態について図面などを参照して説明する。
（第１実施形態）
【００１１】
図１は、第１実施形態に係る電子機器である交換レンズ（レンズ装置）を含むカメラシステムの構成を示すブロック図である。カメラシステム１００は、レンズ装置２００と、レンズ装置２００が取り外し可能に装着されたカメラ本体３００と、を含む。なお、カメラシステム１００は、レンズ装置２００とカメラ本体とを一体化したカメラシステムでもよい。本実施形態及び後述の各実施形態でいう電子機器とは、レンズ装置２００単体を指す言葉でもあるし、カメラシステム１００も示す言葉でもある。
【００１２】
レンズ装置２００は、レンズ群Ｌ１と、使用者の指の接触を検知し、前記検知した指の指紋等の特徴を検出する検出部としての指紋センサ２０１と、を有する。指紋センサ２０１は、指の指紋等の特徴を含む指紋情報を生成する。また、指紋センサ２０１は、指の接触時間の計測も行う。指紋情報と指の接触時間に関する情報とを指情報という。指紋センサ２０１は、公知のものでよく詳細は省略するが、保護膜と無数の電極からなっており、センサ面に指を押し当てたときの電荷の量を取得することで指紋の凹凸を判断する。指紋センサ２０１としてはこれに限定されず、光学的に指紋を読み取る方式や指を押し当てるのではなくスライドさせることで指紋を読み取る方式でもあってもよい。また、本実施形態では指紋センサとしたが、それに限定されるものではない。例えば、マイクロチップや静脈により各指を判別するセンサを設けても良い。
【００１３】
レンズ装置２００は、さらに絞り２０２、光学防振ユニット２０３、駆動部２０４およびこれらの制御を行う制御部としてのレンズマイコン２０５を有する。絞り２０２は、光量を調節する。光学防振ユニット２０３は、撮影時の手ぶれを補正するためのものであり、公知のものでよく詳細は省略する。駆動部２０４は、レンズ群Ｌ１を駆動する。駆動部２０４は、例えば、ステッピングモータであり、超音波モータやボイスコイルモータなど、レンズ群Ｌ１を移動可能なものであればよい。
【００１４】
レンズマイコン２０５は、例えば、ＭＰＵ（Ｍｉｃｒｏ  Ｐｒｏｃｅｓｓｉｎｇ  Ｕｎｉｔ）等のマイクロコンピュータである。また、レンズマイコン２０５は、記憶部２０６、振動部２０７、位置検出部２０８、レンズ側表示部２０９、と通信可能であり、その制御を行う。
【００１５】
記憶部２０６には、指紋センサ２０１で検出した指紋情報を登録することが可能である。登録された指紋情報には、それぞれ対応する機能を設定できる。登録された指紋情報とそれに対応する機能を指紋登録データという。指紋登録データの詳細については後述する。
【００１６】
記憶部２０６は、レンズマイコン２０５と通信可能に接続されている。通知部としての振動部２０７は、指紋センサ２０１で検出された指紋情報と、記憶部２０６に予め登録された指紋情報が一致した時に振動することで、使用者に要求した機能の実行が完了したことを通知する。これを、完了通知動作という。本実施形態では、振動を完了通知動作としたが、これに限定されるものではない。例えば、音を発するなどして使用者に通知してもよい。
【００１７】
位置検出部２０８は、操作リング２１０の回転位置を電気的に検出する。操作リング２１０は、レンズ群Ｌ１の光軸周りに回転可能にレンズ装置２００に保持されている。操作リング２１０は、回転方向のストローク端がなく、無限に回転可能である。なお、操作リング２１０の回転位置検出方法については公知のものでよく詳細は省略する。
【００１８】
操作リング２１０が、光軸に対して回動することで、その回動量に応じた信号を位置検出部２０８がレンズマイコン２０５に出力する。レンズマイコン２０５は、その信号を用いて操作対象を駆動する。操作リング２１０は、操作対象を変更することができる。操作リング２１０は、設定に応じてレンズ群Ｌ１、絞り２０２、光学防振ユニット２０３などを駆動させる。位置検出部２０８および操作リング２１０は、調節部である。レンズ側表示部２０９は、レンズ装置２００のさまざまな状態を表示する。例えば、焦点距離、変倍状態、絞り値、撮影モードなどである。
【００１９】
レンズ装置２００は、カメラ本体３００との接続部としてのレンズマウント２１１と、カメラ本体との通信部としてのレンズ側端子２１２を有している。レンズ装置２００と、カメラ本体３００とは、レンズマウント２１１と、カメラマウント３０１とにより着脱可能となっている。
【００２０】
カメラ本体３００は、カメラマイコン３０２、撮像素子３０３、シャッター３０４が設けられており、カメラシステム１００は、レンズ群Ｌ１、絞り２０２、光学防振ユニット２０３を通した光を撮像素子３０３により得ることで画像を得ることができる。
【００２１】
また、カメラ本体３００は、撮像素子３０３で得た画像を、カメラマイコン３０２を介してカメラ側表示手段３０５で再生、表示することができる。カメラマイコン３０２は、カメラ本体側の設定として、撮像素子３０３のＩＳＯ感度やホワイトバランス、シャッター３０４の速度等の撮影条件を制御している。
【００２２】
また、カメラマイコン３０２はレンズ側端子２１２とカメラ側端子３０６を通して、レンズマイコン２０５と通信可能に接続されている。ただし、レンズマイコン２０５とカメラマイコン３０２は必ずしも別体である必要はない。レンズ側端子２１２、カメラ側端子３０６を通すことなく一つのＭＰＵであってもよい。
【００２３】
図２は、第１実施形態に係るレンズ装置の外観図である。レンズ装置２００は、カメラ本体３００との接続手段としてレンズマウント２１１と、カメラ本体３００との通信手段としてのレンズ側端子２１２を有している。また、レンズ装置２００は、その外周に指紋センサ２０１を有している。なお、指紋センサは、カメラ本体３００側に設けられても良い。さらに、レンズ装置２００は、その外周に、レンズ装置２００の光軸Ｏに対して回動可能な操作リング２１０を有する。さらに、レンズ装置２００の外周には、レンズ側表示部２０９が、設けられる。
【００２４】
図３は、第１実施形態に係るカメラシステムの外観図である。カメラ本体３００はカメラマウント３０１とレンズ装置２００のレンズマウント２１１によりバヨネットで接続されている。また、カメラ本体３００とレンズ装置２００は、上述のとおり、カメラ側端子３０６とレンズ側端子２１２により通信可能に接続されており、制御信号のやり取りが可能となっている。レンズ装置２００の接続された先には撮像素子３０３としてのＣＭＯＳセンサが配置されている。
【００２５】
カメラ本体３００には、使用者が右手でカメラ本体３００を保持するためのカメラグリップ３０７が設けられている。カメラグリップ３０７の上部にはシャッタースイッチ３０８が設けられている。シャッタースイッチ３０８は、全押し状態に対応する段階と半押し状態に対応する半押し段階を含む複数の段階で押すことができる。シャッタースイッチ３０８を押すと、カメラマイコン３０２は設定した撮像条件に基づいて記録用画像データを生成するための撮像を行わせる。カメラ本体３００に備わっている撮影条件とは、ＩＳＯ感度、絞りやシャッター速度、ホワイトバランス等である。撮像条件の変更は、カメラ本体３００に設けられた不図示の操作部の操作によって行うことができる。
【００２６】
図４は、第１実施形態に係るカメラシステムにおいて指情報に応じた制御を示すフローチャートである。各フローは、主にレンズマイコン２０５による各部の制御により実行される。本制御は、カメラシステム１００が撮影可能状態にあればいつでも行うことが可能なものとする。なお、指紋情報の生成開始用のボタンを設け、開始ボタンを押した後に行うものとしてもよい。レンズマイコン２０５は、指紋センサ２０１から検出された指紋情報に応じてレンズ装置２００またはカメラ本体３００の撮影設定を制御する。
【００２７】
まず、レンズマイコン２０５は、指紋センサ２０１に指が置かれたかどうかの判断を行う（Ｓ４０１）。指が置かれていないと判断すれば（Ｎｏ）、Ｓ４０１を繰り返す。指が置かれたと判断すれば（Ｙｅｓ）、指紋センサ２０１は、指紋情報を生成する（Ｓ４０２）。
【００２８】
次に、レンズマイコン２０５は、記憶部２０６に登録されている指紋登録データを読み出す（Ｓ４０３）。図５は、記憶部２０６に登録された指紋登録データの一例を記した表である。例えば、指紋ＡではＡＦ（Ａｕｔｏ  Ｆｏｃｕｓ）とＭＦ（Ｍａｎｕａｌ  Ｆｏｃｕｓ）の切替えを、指紋Ｂでは光学防振手段のＯＮとＯＦＦの切替えを行う。指紋Ｃ、Ｄ、Ｅは操作リング２１０の操作対象の変更を行う。指紋Ｃではフォーカス駆動モード、指紋Ｄはズーム駆動モード、指紋Ｅは絞り駆動モードへの切替えを行う。
【００２９】
なお、上記機能は一例であり、これに限定されるものではない。例えば、カメラ本体３００のシャッタースピード、ＩＳＯ感度、ホワイトバランスなどを変更できるようにしてもよいし、レンズ鏡筒ごとに設定可能な要求動作が異なってもよい。
【００３０】
図４に戻り、レンズマイコン２０５は、生成された指紋情報と、読み出された指紋登録データに一致があるか判断する（Ｓ４０４）。このとき、一致を判断する方法としては公知であるパターンマッチング方式や特徴点抽出方式、周波数解析方式等の指紋照合アルゴリズムを用いればよく、公知であるため詳細は記載しない。
【００３１】
指紋情報と指紋登録データに一致がない場合（Ｎｏ）は、Ｓ４０１を繰り返す。一致がある場合（Ｙｅｓ）は、指の接触時間と予め設定した所定の閾値とを比較し、接触時間が閾値を超えているか判断を行う（Ｓ４０５）。閾値は、記憶部２０６に記憶されている。閾値を超えていない場合（Ｎｏ）には、Ｓ４０１に戻る。閾値を超えている場合（Ｙｅｓ）には、一致した指紋登録データの機能（指紋情報に対応する機能）を実行し（Ｓ４０６）、制御を終える。なお、本実施形態においては、主にレンズマイコン２０５によって制御を行ったが、カメラマイコン３０２によって制御を行ってもよい。
【００３２】
このように、指紋情報と指紋登録データに一致がある場合かつ、所定時間同じ指紋情報が検出された場合に指紋情報に対応する機能を実行することで、使用者が意図しない動作を抑制することができる。
【００３３】
なお、電子機器の一例としてカメラシステムを用いたが、スマートフォンやタブレットなど、複数の機能を実行可能な電子機器であれば良い。
（第２実施形態）
【００３４】
図６は、第２実施形態に係るカメラシステムにおいて指紋情報に応じた制御を示すフローチャートである。第１実施形態と同様の構成および工程は同符号で示し、説明は省略する。各フローは、主にレンズマイコン２０５による各部の制御により実行される。本実施形態では、接触時間が閾値以下であっても、操作リング２１０が操作されている場合には、指紋情報に対応する機能を実行する。
【００３５】
Ｓ４０４において、生成された指紋情報と、読み出された指紋登録データに一致がある場合（Ｙｅｓ）、レンズマイコン２０５は、位置検出部２０８から信号を受信し、操作リング２１０が操作されたかを判断する（Ｓ６０１）。操作されたと判断した場合（Ｙｅｓ）には、接触時間が所定の閾値以下であっても、指紋情報に対応する機能を実行する（Ｓ４０６）。
【００３６】
Ｓ６０１において、操作リング２１０が操作されていないと判断された場合（Ｎｏ）には、レンズマイコン２０５は、指の接触時間が、予め設定した所定時間の閾値を超えているか判断を行う（Ｓ４０５）。Ｓ４０５において、閾値を超えている場合（Ｙｅｓ）には、指紋情報に対応する機能を実行する（Ｓ４０６）。
【００３７】
その後、要求した機能の実行が完了したことを使用者に通知するために、完了通知動作を行い（Ｓ６０２）、制御を終える。完了通知動作は、振動部２０７が一定時間振動することで、行う。なお、音を発して通知しても良い。
【００３８】
所定時間経過する前であっても操作リング２１０を操作すると、所望の機能を実行できるようにしたことで、レンズ装置２００の操作性が向上する。
【００３９】
また、Ｓ６０１において、操作リング２１０を操作する際に、電気的に回転位置を検出可能で、回転方向のストローク端がなく、無限に回転可能にしたことで、操作リングがどの位置であっても同様の操作が可能である。したがってレンズ装置２００の操作性が向上しうる。
【００４０】
なお、Ｓ６０１において、操作リング２１０を操作した際に、例えば、第１の指に対応する機能（第１の機能）を実行した後、指紋センサ２０１が第１の指とは異なる、第２の指を検知したとする。この第２の指の接触時間が閾値以下の場合において、レンズマイコン２０５は、第１の機能における操作リングの駆動対象は駆動しないよう制御する。
【００４１】
したがって、操作リング２１０を操作した場合でも、既に所望の位置に設定したレンズ群Ｌ１が駆動してピントがずれてしまうなど、使用者が意図しない動作を防止することが可能である。
（第３実施形態）
【００４２】
図７は、第３実施形態に係るカメラシステムにおいて指情報に応じた制御を示すフローチャートである。本実施形態では、接触時間が閾値以下であっても、シャッタースイッチ３０８が操作されている場合には、指紋情報に対応する機能を実行する。
【００４３】
Ｓ４０４において、生成された指紋情報と、読み出された指紋登録データに一致がある場合（Ｙｅｓ）、シャッタースイッチ３０８が半押しされているかを判断する（Ｓ７０１）。レンズマイコン２０５は、半押し状態である信号を受信し、シャッタースイッチ３０８が半押しされていると判断した場合（Ｙｅｓ）には、接触時間が所定の閾値以下であっても、指紋情報に対応する機能を実行する（Ｓ４０６）。
【００４４】
所定時間経過する前であってもシャッタースイッチ３０８が半押しの状態であれば、所望の機能を実行できるようにしたことで、レンズ装置２００の操作性が向上しうる。
【００４５】
（その他の実施形態）
以上、本発明の実施の形態を説明してきたが、本発明はこれらの実施の形態に限定されず、その要旨の範囲内において様々な変更が可能である。
【００４６】
１００      カメラシステム
２００      レンズ装置
２０１      指紋センサ
２０５      レンズマイコン
２０６      記憶部
２０８      位置検出部
３００      カメラ本体
３０８      シャッタースイッチ
【図１】
2019097019.tif 000003
【図２】
2019097019.tif 000004
【図３】
2019097019.tif 000005
【図４】
2019097019.tif 000006
【図５】
2019097019.tif 000007
【図６】
2019097019.tif 000008
【図７】
2019097019.tif 000009